(57)【特許請求の範囲】
【請求項１】
ポンプ装置と、
前記ポンプ装置に接続され、ポンプ装置の二次側の流路を複数の流路に分ける分岐部と、
前記分岐部で分けられた前記複数の流路にそれぞれ接続される複数の電磁弁と、
前記電磁弁にそれぞれ接続される採水容器と、
前記採水容器の二次側にそれぞれ接続される合流部と、
前記合流部の二次側に接続され、前記採水容器から供給された給水量よりも排水量が少ない筒体、及び、前記筒体内に設けられ、前記筒体内の所定の水位を検出可能なフロートスイッチを有する排水筒と、
前記ポンプ装置を駆動し、前記複数の電磁弁のうち、採水を行う前記採水容器に接続された前記電磁弁を開き、他の前記電磁弁を閉じるとともに、前記フロートスイッチで前記所定の水位を検出後、前記ポンプ装置を停止させる制御装置と、
を備えることを特徴とする採水装置。
【請求項２】
前記分岐部の二次側に設けられ、前記複数の流路の位置に接続される排水用の開閉弁を備え、
前記制御装置は、前記ポンプ装置を駆動後、前記採水を行う前記採水容器に接続された前記電磁弁を開く前に、前記開閉弁を所定の時間だけ開いて排水を行い、前記所定の時間経過後、前記開閉弁を閉じ、その後前記採水を行う前記採水容器に接続された前記電磁弁を開くことを特徴とする請求項１に記載の採水装置。
【請求項３】
前記合流部は、前記採水容器の二次側にそれぞれ設けられた逆止弁と、前記逆止弁の二次側に設けられ、前記逆止弁の二次側を合流させる複数の継手部材と、を備えることを特徴とする請求項１に記載の採水装置。
【請求項４】
前記採水容器は、
容器本体と、
前記容器本体を閉塞する蓋体と、
前記蓋体に設けられ、前記電磁弁に接続されるとともに、端部が前記容器本体の底部に配置される吸込管と、
前記蓋体に設けられ、前記合流部に接続されるとともに、端部が前記蓋体の底面に配置される吐出管と、
を備えることを特徴とする請求項１に記載の採水装置。
【請求項５】
前記排水筒は、両端が閉塞する円筒状に構成され、下端に流路の開度を調整可能な手動開閉弁を備えることを特徴とする請求項１に記載の採水装置。
【請求項６】
前記制御装置は、前記採水の条件を入力可能な入力部を備え、前記入力部で入力された前記採水の条件に基づいて、前記複数の電磁弁を制御することを特徴とする請求項１に記載の採水装置。
【発明の詳細な説明】
【技術分野】
【０００１】
本発明は、自動で水源から水を採水する採水装置に関する。
【背景技術】
【０００２】
現在、水源の水質の調査等において、定期的な採水が求められている。例えば、井戸水の水質は、季節や天候等によって変動する可能性があり、このような水質の変動状況を把握するために、定期的に井戸水の採水及び水質分析が行われている。
【０００３】
また、井戸水に鉄が含有される等、水質によっては、空気に触れることで酸化することから、採水容器は、井戸水で満たして密閉する必要がある。さらに、採水前に、十分に捨て水及び採水容器内のパージ（置換）を行う必要があることから、人為的な作業を要していた。しかし、井戸において採水を行う場合においては、作業者が井戸まで赴く必要があり、採水に労力を要する。
【０００４】
そこで、採水容器の一次側及び二次側に自動で開閉するバルブを設け、制御盤によってポンプ及びバルブを制御することで、自動で採水する採水装置が知られている（例えば、特許文献１参照）。
【先行技術文献】
【特許文献】
【０００５】
【特許文献１】特開２０１１−１２２９４１号公報
【発明の概要】
【発明が解決しようとする課題】
【０００６】
上述した採水装置では、以下の問題があった。即ち、採水装置は、予め設定された任意の時間に基づいてバルブを開閉し、採水を終了させることから、パージ不足である場合や、過剰にパージが行われることで不要な排水が発生する虞がある。
【０００７】
そこで本発明は、所望のパージが可能な採水装置を提供することを目的としている。
【課題を解決するための手段】
【０００８】
前記課題を解決し目的を達成するために、本発明の採水装置は、次のように構成されている。
【０００９】
本発明の一態様によれば、採水装置は、ポンプ装置と、前記ポンプ装置に接続され、ポンプ装置の二次側の流路を複数の流路に分ける分岐部と、前記分岐部で分けられた前記複数の流路にそれぞれ接続される複数の電磁弁と、前記電磁弁にそれぞれ接続される採水容器と、前記採水容器の二次側にそれぞれ接続された合流部と、前記合流部の二次側に接続され、前記採水容器から供給された給水量よりも排水量が少ない筒体、及び、前記筒体内に設けられ、前記筒体内の所定の水位を検出可能なフロートスイッチを有する排水筒と、前記ポンプ装置を駆動し、前記複数の電磁弁のうち、採水を行う前記採水容器に接続された前記電磁弁を開き、他の前記電磁弁を閉じるとともに、前記フロートスイッチで前記所定の水位を検出後、前記ポンプ装置を停止させる制御装置と、を備える。
【発明の効果】
【００１０】
本発明によれば、所望のパージが可能な採水装置を提供することが可能となる。
【図面の簡単な説明】
【００１１】
【図１】本発明の一実施形態に係る採水装置の構成を模式的に示す説明図。
【図２】同採水装置に用いられる排水筒の構成を示す断面図。
【図３】同採水装置を用いた採水方法の一例を示す流れ図。
【発明を実施するための形態】
【００１２】
以下、本発明の一実施形態に係る採水装置１を、図１乃至図３を用いて説明する。  
図１は本発明の一実施形態に係る採水装置１の構成を模式的に示す説明図、図２は採水装置１に用いられる排水筒１６の構成を示す断面図、図３は採水装置１を用いた採水方法の一例を示す流れ図である。
【００１３】
図１に示すように、採水装置１は、水源１００に接続されたポンプ装置１１と、ポンプ装置１１の二次側に設けられた分岐部１２と、分岐部１２に接続された第１開閉弁１３と、第１開閉弁１３に接続された採水容器１４と、採水容器１４に接続された合流部１５と、合流部１５に接続された排水筒１６と、分岐部１２に接続された第２開閉弁１７と、電源装置１８と、制御装置１９と、を備えている。採水装置１は、ポンプ装置１１、分岐部１２、第１開閉弁１３、採水容器１４、合流部１５、排水筒１６及び第２開閉弁１７は、各々が他の構成と配管９０を介して接続される。
【００１４】
ここで、配管９０は、金属配管や、可撓性を有するチューブ等であり、その種類及び管径は適宜設定される。また、水源１００は、例えば、井戸である。
【００１５】
ポンプ装置１１は、ポンプ及びモータを有する。ポンプ装置１１は、吸込側が配管９０を介して水源１００に接続される。ポンプ装置１１は、吐出側が配管９０を介して分岐部１２に接続される。ポンプ装置１１は、モータが信号線９９を介して制御装置１９に接続される。
【００１６】
分岐部１２は、ポンプ装置１１からの水の流れを複数に分岐する。具体的には、分岐部１２は、三つのポートを有し、互いに接続された複数の継手部材１２ａを備えている。分岐部１２は、これら継手部材１２ａにより、少なくとも、二次側で採水に用いる採水容器１４及び第２開閉弁１７を接続可能な数に一次側の流路を分岐する。分岐部１２で分岐された流路の一は、第２開閉弁１７に配管９０を介して接続され、分岐部１２で分岐された流路の他は、それぞれ配管９０を介して第１開閉弁１３に接続される。
【００１７】
例えば、本実施形態においては、分岐部１２は、流路を９つに分岐する。分岐部１２で分岐された９つの流路は、配管９０を介して８つの流路がそれぞれ第１開閉弁１３に接続され、配管９０を介して１つの流路が第２開閉弁１７に接続される。
【００１８】
第１開閉弁１３は、分岐部１２に接続された配管９０のそれぞれに接続され、分岐部１２で分岐された複数の流路を開閉する複数の電磁弁１３ａを有する。第１開閉弁１３は、例えば８つの電磁弁１３ａを備える。第１開閉弁１３は、信号線９９を介して制御装置１９に接続される。
【００１９】
採水容器１４は、複数の電磁弁１３ａに配管９０を介してそれぞれ接続される。採水容器１４は、容器本体１４ａと、蓋体１４ｂと、蓋体１４ｂに設けられた吸込管１４ｃと、蓋体１４ｂに設けられた吐出管１４ｄと、を備えている。
【００２０】
吸込管１４ｃは、電磁弁１３ａに配管９０を介して接続される。吸込管１４ｃは、蓋体１４ｂから容器本体１４ａの底部まで延びる長さを有する。吐出管１４ｄは、例えば、一方の端部が蓋体１４ｂの内面と面一に構成され、他方の端部が配管９０を介して合流部１５に接続される。
【００２１】
このような採水容器１４は、内部に吸い込まれた水が容器本体１４ａの底部側から蓋体１４ｂ側に移動し、内部に水が充満した後に、当該水が吐出管１４ｄを介して二次側に移動可能に構成される。また、採水容器１４は、吸込管１４ｃが容器本体１４ａの底部に、吐出管１４ｄが蓋体１４ｂの底面と面一に設けられることで、水が充満したあとにさらに水が供給されると、採水容器１４内の水は、その後供給された水で置換される。
【００２２】
合流部１５は、各採水容器１４に接続される複数の逆止弁１５ａと、逆止弁１５ａに接続された継手部材１５ｂと、を備えている。逆止弁１５ａは、合流部１５の一次側からの水を通過可能、且つ、合流部１５の一次側への水の逆流を防止可能に構成される。継手部材１５ｂは、各採水容器１４を通過する流路を合流させることが可能に、２つのポートを有する継手及び３つのポートを有する複数の継手により構成される。
【００２３】
合流部１５は、これら逆止弁１５ａ及び継手部材１５ｂにより、いずれかの採水容器１４を通過した水を、他の採水容器１４に逆流することなく、合流部１５の二次側へ流れる流路を構成する。合流部１５の一の継手部材１５ｂは、配管９０を介して排水筒１６に接続される。
【００２４】
図１及び図２に示すように排水筒１６は、筒体２１と、筒体２１内に設けられたフロートスイッチ２２と、を備えている。筒体２１は、例えば、軸方向が重力方向に沿って配置される直管２１ａと、直管２１ａの両端に設けられたキャップ２１ｂと、直管２１ａの下端部から所定の高さ位置に設けられた給水ポート２１ｃと、給水ポート２１ｃよりも高い位置の直管２１ａに設けられた孔部２１ｄと、下方のキャップ２１ｂに設けられた吐出ポート２１ｅと、図２に示すように吐出ポート２１ｅに設けられた手動開閉弁２１ｆと、を備えている。
【００２５】
筒体２１は、その内部空間の体積が１つの採水容器１４の容積よりも大きく構成されている。また、給水ポート２１ｃは、筒体２１内の給水ポート２１ｃ迄の高さにおいて収容される水の体積が採水容器１４の容積よりも大きくなる高さ位置に配置される。
【００２６】
手動開閉弁２１ｆは、水の通過量を調整可能に構成された、例えばニードル弁である。換言すると、手動開閉弁２１ｆは、吐出ポート２１ｅから排水される排水量を調整可能に構成されている。手動開閉弁２１ｆは、ポンプ装置１１による水の給水量と、採水容器１４のパージが終了する時間に基づいて吐出量が予め調整される。即ち、手動開閉弁２１ｆは、パージが終了したときに、フロートスイッチ２２で水位を検出可能な吐出量に開度が採水前に予め調整される。
【００２７】
例えば、ポンプ装置１１による水の給水量、換言すると採水容器１４から排水される水の排水量をＱ１、手動開閉弁２１ｆを通過して排水される排水量をＱ２とした場合、Ｑ１＞Ｑ２に設定される。Ｑ１及びＱ２の関係から、フロートスイッチ２２が水位を検出する迄の時間をＴ１とし、採水容器１４のパージが完了する時間をＴ２とした場合に、Ｔ１＝Ｔ２に設定される。なお、ここで、パージとは、少なくとも採水容器１４内に最初に供給された水を、その後に供給される水と採水容器１４で置換することを意味する。換言すると、パージとは、少なくとも採水容器１４内を洗浄し、洗浄した水を採水容器１４内から排水することを意味する。
【００２８】
なお、Ｔ２は、採水容器１４のパージが完了する時間でなく、採水容器１４のパージが完了する水量としてもよい。この場合、Ｔ１は、当該パージが完了する水量とＱ１及びＱ１及びフロートスイッチ２２が検出する水位となる体積とから求められる。
【００２９】
フロートスイッチ２２は、排水筒１６内に設けられたフロート２２ａと、フロート２２ａの移動により水位を検出する検知部２２ｂと、検知部２２ｂ及び制御装置１９を接続する信号線２２ｃと、を備えている。フロートスイッチ２２は、例えば、フロート２２ａの移動を検知部２２ｂで検知する高さが、１つの採水容器１４の容積と略同一となる高さに設定される。検知部２２ｂは、フロート２２ａの移動を検知すると、信号線２２ｃを介して当該検知した情報を信号として制御装置１９に送信する。例えば、検知部２２ｂは、信号のＯＮ／ＯＦＦにより、当該情報を制御装置１９に送信する。
【００３０】
第２開閉弁１７は、電磁弁であり、信号線９９を介して制御装置１９に接続される。第２開閉弁１７は、二次側がドレンの排水部に接続された、排水用の電磁開閉弁である。
【００３１】
電源装置１８は、例えば、二次電池等のバッテリーアダプターである。
【００３２】
制御装置１９は、第１開閉弁１３の各電磁弁１３ａを開閉操作可能に構成される。制御装置１９は、第２開閉弁１７を開閉操作可能に構成される。制御装置１９は、記憶部１９ａ、採水開始の条件及び指示を入力する入力部１９ｂ、及び、採水の状態を報知する報知手段１９ｃを有する。記憶部１９ａには、第１開閉弁１３及び第２開閉弁１７を制御するプログラム、時計機能及びタイマー機能を有するプログラム等が記憶される。記憶部１９ａには、作業者等が入力した採水条件等を記憶可能に構成される。また、記憶部１９ａには、採水開始から、採水時の異常の発生と判断する時間が予め設定され、閾値として記憶される。
【００３３】
入力部１９ｂは、例えばテンキーや押下釦である。報知手段１９ｃは、例えば、液晶表示、セグメント表示及びランプである。
【００３４】
また、制御装置１９は、以下の（１）及び（２）の機能を有する。
【００３５】
（１）各種プログラム及び採水条件に基づいて採水を行う機能。
【００３６】
（２）異常発生時に、採水を中断する機能。
【００３７】
これら機能（１）及び機能（２）について、以下具体的に説明する。
【００３８】
機能（１）は、各種プログラム及び入力された採水条件に基づいて第１開閉弁１３の各電磁弁１３ａ及び第２開閉弁１７を開閉し、所定の採水容器１４のパージ及び採水を行う機能である。
【００３９】
具体的には、機能（１）は、入力部１９ｂによる採水指示の入力後であって、採水条件の採水時刻となった場合に、先ず、捨て水として、ポンプ装置１１を駆動し、第１開閉弁１３の全電磁弁１３ａを閉じるとともに、第２開閉弁１７を開く。次に、この状態で、所定の時間、ポンプ装置１１を駆動して水源１００から水を供給して排水部から捨て水を行う。捨て水終了後、採水を行う採水容器１４に接続された電磁弁１３ａを開状態とし、採水を行わない採水容器１４に接続された電磁弁１３ａを閉じて、採水を行う採水容器１４に水を供給する。
【００４０】
次に、フロートスイッチ２２において、フロート２２ａが上昇し、排水筒１６内の水位が所定の水位に上昇したことを検知したら、第１開閉弁１３の電磁弁１３ａを全て閉じ、第２開閉弁１７を開き、その後ポンプ装置１１を停止させる。例えば、採水条件として、前回の採水開始から２４時間後、７回に渡って各採水容器１４に採水を行う場合には、時計機能及びタイマー機能により、前回採水開始からの経過時間をカウントし、当該時間到達後に、次の採水容器１４に、同様に採水を行う。機能（１）は、これらのように、各構成品を制御して、採水容器１４のパージ及び採水を行う機能である。
【００４１】
機能（２）は、所定の条件を満たした場合に、異常が発生したと判断し、採水を中断する機能である。
【００４２】
具体的には、機能（２）は、採水開始後の経過時間をカウントし、当該カウントした時間が記憶部１９ａに記憶された採水時間を予め設定され記憶部１９ａに記憶された閾値を超えた場合に、採水時の異常と判断する。その後、ポンプ装置１１を停止し、報知手段１９ｃにより、採水異常を報知する。機能（２）は、これらのように、閾値と採水開始後の経過時間の比較結果から、採水の以上を判断し、採水の中断を行う機能である。
【００４３】
次に、このように構成された採水装置１を用いた採水方法について、図３に示す流れ図を用いて説明する。  
先ず、使用者は、入力部１９ｂから、採水条件を入力する（ステップＳＴ１）。例えば、採水条件として、採水回数、採水の間隔及び閾値となる採水時間等である。制御装置１９は、記憶部１９ａに入力された採水条件を記憶する。併せて、使用者は、採水回数に応じた採水容器１４を、第１開閉弁１３及び合流部１５の間に接続する。次に、使用者は、入力部１９ｂを操作し、採水指示を入力する（ステップＳＴ２）。
【００４４】
採水指示を受信すると、先ず、制御部１９は、フロートスイッチ２２の検知部２２ｂがフロート２２ａの移動を検出したかどうか、即ち、検出した情報をフロートスイッチ２２からの信号の受信の有無を確認する（ステップＳＴ３）。例えば、制御部１９は、フロートスイッチ２２の信号のＯＮ／ＯＦＦを確認する。フロートスイッチ２２からの信号を受信した場合、即ち、信号がＯＮの場合（ステップＳＴ３のＮＯ）には、制御装置１９は、信号がＯＦＦとなるまで待機する。
【００４５】
フロートスイッチ２２からの信号がＯＦＦの場合（ステップＳＴ３のＹＥＳ）には、制御装置１９は、設定された採水時間であるか否かの判断を行う（ステップＳＴ４）。採水時間でない場合（ステップＳＴ４のＮＯ）には、制御装置１９は、採水時間となるまでフロートスイッチ２２の信号を確認する（ステップＳＴ３）。採水時間となった場合（ステップＳＴ４のＹＥＳ）には、制御装置１９は、第１開閉弁１３の全ての電磁弁１３ａを閉じるとともに、第２開閉弁１７を開き、捨て水を行う（ステップＳＴ５）。制御装置１９は、捨て水開始からの時間をカウントし、所定の時間が経過するまで（ステップＳＴ６のＮＯ）、捨て水を継続して行う（ステップＳＴ５）。
【００４６】
捨て水を開始後、所定の時間経過したら（ステップＳＴ６のＹＥＳ）、次に、制御装置１９は、採水を行う採水容器１４に接続された電磁弁１３ａを開き、第２開閉弁１７を閉じての採水を開始するとともに、採水時間のカウントを開始する（ステップＳＴ７）。採水開始後、制御装置１９は、フロートスイッチ２２からの信号を監視し、フロートスイッチ２２からの信号がＯＮであるか否かを判断する（ステップＳＴ８）。フロートスイッチ２２からの信号がＯＦＦの場合（ステップＳＴ８のＮＯ）には、制御装置１９は、カウントしている採水時間と記憶部１９ａに記憶された閾値とを比較し、採水時間が閾値を超えているか否かを判断する（ステップＳＴ９）。採水時間が閾値を超えていない場合（ステップＳＴ９のＮＯ）には、制御装置１９は、再びステップＳＴ８に戻り、フロートスイッチからの信号がＯＮとなるか、又は、採水時間が閾値を超える迄、採水を継続する。
【００４７】
フロートスイッチ２２からの信号がＯＮとなった場合（ステップＳＴ８のＹＥＳ）には、制御装置１９は、採水を終了する（ステップＳＴ１０）。例えば、制御装置１９は、開いている電磁弁１３ａを閉じ、第２開閉弁１７を開き、ポンプ装置１１を停止する。次に、制御装置１９は、設定された採水回数が終了したか否か、即ち、全採水が終了したか否かを判断する（ステップＳＴ１１）。全採水が終了していない場合（ステップＳＴ１１のＮＯ）には、ステップＳＴ３に戻り、以降の工程を繰り返し行い、採水容器１４に順次採水を行う。
【００４８】
全採水が終了したら、制御装置１９は、報知手段１９ｃにその情報を報知し、採水を終了する（ステップＳＴ１２）。また、採水中において、フロートスイッチ２２からの信号がＯＦＦの場合（ステップＳＴ８のＮＯ）であって、且つ、採水時間が閾値を超えた場合（ステップＳＴ９のＹＥＳ）には、制御装置１９は、採水時における異常が発生したと判断し（ステップＳＴ１３）、採水を終了する（ステップＳＴ１４）。その後、制御装置１９は、採水時に異常が発生した情報を、報知手段１９ｃにより報知する。なお、採水時における異常としては、ポンプ装置１１の故障、フロートスイッチ２２の故障、手動開閉弁２１ｆの開度の変更、各構成品の破損及び故障等が想定される。
【００４９】
このように構成された採水装置１は、採水時において、採水容器１４が水で充満された後に、採水容器１４の二次側に流れた水を排水筒１６で排水する構成であり、且つ、排水筒１６は、手動開閉弁２１ｆにより排水筒１６から排水される水の量を調整する構成である。即ち、排水筒１６は、手動開閉弁２１ｆにより給水量よりも排水量が少なくなるように構成される。また、採水容器１４は吸込管１４ｃの端部が容器本体１４ａの底部側に設けられ、吐出管１４ｄが蓋体１４ｂの内面と面一に配置される。
【００５０】
これらの構成により、採水装置１は、採水開始後、採水容器１４内に水が充満したあと、さらに供給される水により、採水容器１４内がパージされる。また、採水容器１４の二次側の排水筒１６は、水の排水量を手動開閉弁２１ｆにより調整されていることから、採水容器１４から供給された水は、排水量よりも供給量が上回る。
【００５１】
このため、少なくとも、採水容器１４内に水が充満した後に、採水容器１４の容積以上の水が採水容器１４から排出されるまで、パージが継続して行われる。このため、採水装置１は、確実に採水容器１４のパージを行うことが可能となる。また、当該パージは、採水容器１４を通過した排水量で管理することから、採水装置１は、時間で制御する場合に比べ、正確、且つ、安価に採水容器１４のパージを行うことが可能となる。
【００５２】
また、合流部１５は、各採水容器１４と、各採水容器１４と接続される継手部材１５ｂとの間に逆流を防止する逆止弁１５ａをそれぞれ備える構成であることから、採水容器１４からの排水が他の採水容器１４に移動することが防止できる。
【００５３】
また、採水が完了した採水容器１４に接続された電磁弁１３ａは閉じられるとともに、採水容器１４の二次側には逆止弁１５ａが設けられる。この構成により、採水が完了した採水容器１４内、採水容器１４と電磁弁１３ａとの間の流路、並びに、採水容器１４と逆止弁１５ａとの間の流路に存在する水に空気が触れることを防止できる。このため、複数回採水を行う場合に、採水が完了した採水容器１４内の水の性質が空気によって変化することを極力防止できる。結果、複数回の採水を長い時間の間隔で採水する等、長時間に渡って採水する場合であっても、採水開始時と、採水完了予定時に作業者が採水装置１に赴くだけでよい。結果、採水装置１を用いることで、採水に係る人件費の削減、及び、採水の効率の向上が可能となる。
【００５４】
また、逆止弁１５ａにより逆流を防止する構成であることから、採水容器１４の二次側に電磁開閉弁を要さず、製造コストを低減することが可能となる。特に、採水回数が増えると、換言すると用いる採水容器１４が増加すると、電磁弁１３ａ等の数も増加するが、採水容器１４の二次側に逆止弁１５ａを用いることで、採水容器１４の増加にともなう製造コストの増加を極力防止することができる。
【００５５】
また、排水筒１６は、給水ポート２１ｃよりも高い位置の直管２１ａに設けられた孔部２１ｄにより、フロートスイッチ２２や制御装置１９等の故障時におけるオーバーフロー時に、排水筒１６内の水を排水することが可能となる。
【００５６】
また、電源装置１８にバッテリーアダプターを用いることで、採水装置１は、商用電源設備がない屋外等においても用いることが可能となる。
【００５７】
上述したように本実施形態に係る採水装置１によれば、採水容器１４から排水され、排水筒１６に供給される給水量と排水筒１６から排水される排水量の差に基づいて、採水容器１４のパージを管理することで、容易、且つ、確実に採水容器１４の所望のパージが可能となる。
【００５８】
なお、本発明は前記実施の形態に限定されるものではない。例えば、上述した制御装置１９は、ポンプ装置１１の制御盤と一体とする構成であっても別体に設ける構成であってもよい。また、排水筒１６において、パージが完了するための判断となるフロート２２ａの高さ位置は、採水容器１４の容積となる高さ位置でなくてもよく、パージが確実に完了すれば、パージを行う時間や手動開閉弁２１ｆの開度等により適宜設定可能である。この他、本発明の要旨を逸脱しない範囲で種々変形実施可能である。
【符号の説明】
【００５９】
１…採水装置、１１…ポンプ装置、１２…分岐部、１２ａ…継手部材、１３…第１開閉弁、１３ａ…電磁弁、１４…採水容器、１４ａ…容器本体、１４ｂ…蓋体、１４ｃ…吸込管、１４ｄ…吐出管、１５…合流部、１５ａ…逆止弁、１５ｂ…継手部材、１６…排水筒、１７…第２開閉弁、１８…電源装置、１９…制御装置、１９ａ…記憶部、１９ｂ…入力部、１９ｃ…報知手段、２１…筒体、２１ａ…直管、２１ｂ…キャップ、２１ｃ…給水ポート、２１ｄ…孔部、２１ｅ…吐出ポート、２１ｆ…手動開閉弁、２２…フロートスイッチ、２２ａ…フロート、２２ｂ…検知部、２２ｃ…信号線、９０…配管、９９…信号線、１００…水源。
【図１】
0006675877.tif 000002
【図２】
0006675877.tif 000003
【図３】
0006675877.tif 000004